(57)【要約】【課題】多数の関連特許文献情報の中から、目的の情報を効率良く探し出すこと。【解決手段】多数の関連特許文献情報中、先ず代表図のみ、関連特許文献情報を取得した特許文献情報源よりダウンロードして一覧表示して情報の絞込みを可能とし、絞り込んで選別された情報については選別した時点で直ちに全情報のダウンロードを開始して、ダウンロードによる待ち時間を短縮する。【選択図】図１
2008134784.tif 000002
【特許請求の範囲】
【請求項１】
任意の特許文献情報源（１）より一定の条件を与えて選択された多数の関連特許文献情報（２）中、各々の概要記載部分（１０）のみを初期情報としてダウンロードする初期情報取込み手段（５）と、
この初期情報取込み手段によりダウンロードした多数の初期情報をコンピュータの画面上に一覧表示すると共に、各初期情報ごとに検索者が選別可能な選別用入力部（１１）を表示する初期情報一覧表示手段（６）と、
前記選別用入力部に検索者が選別結果を入力する度に、選別された関連特許文献情報中の全ての情報のダウンロードを直ちに開始する詳細情報取込み手段（７）と、
この詳細情報取込み手段によりダウンロードした情報を検索者が指定可能な複数の項目に分けて一覧表示する項目表示手段（８）と、
この項目表示手段による表示にて検索者が指定した項目の詳細情報をコンピュータの画面上に表示する詳細情報表示手段（９）と
を具備したことを特徴とする特許検索支援システム。
【請求項２】
前記関連特許文献情報の概要記載部分は、詳細情報取込み手段による全ての情報のダウンロードが完了したとき色を変化させることを特徴とする請求項１に記載の特許検索支援システム。
【請求項３】
前記選別用入力部に選別結果が入力されなかった概要記載部分は一覧表示の画面から消去され、かつ、残った概要記載部分の選別用入力部がクリヤされて次回の選別に備えることを特徴とする請求項１に記載の特許検索支援システム。
【請求項４】
前記概要記載部分を、前記特許文献情報中の代表図面、発明の名称及び要約のうちの一部又は全てとしたことを特徴とする請求項１に記載の特許検索支援システム。
【請求項５】
前記複数の項目には、請求の範囲、詳細な説明及び図面中の各図が含まれることを特徴とする請求項１に記載の特許検索支援システム。
【請求項６】
前記詳細情報表示手段により表示された前記図面中の各図を画面上において適宜拡大又は縮小する手段（１２）を設けたことを特徴とする請求項５に記載の特許検索支援システム。
【請求項７】
前記詳細情報表示手段により表示された前記図面中の各図に付されている符号を認識する符号認識手段（１３）と、この符号認識手段により認識した符号を符号表（１６）として表示する符号表作成手段（１４）と、この符号表作成手段により作成した符号表中の任意の符号を検索者が指定したとき図面中の該当符号をハイライト表示させるハイライト表示手段（１５）とを設けたことを特徴とする請求項５に記載の特許検索支援システム。
【発明の詳細な説明】
【技術分野】
【０００１】
本発明は、任意の特許文献情報源より一定の条件を与えて選択された多数の関連特許文献情報の中から、目的の情報を効率良く探し出すことができる特許検索支援システムに関する。
【背景技術】
【０００２】
例えば特許無効審判の証拠を探すとき、Ｗｅｂ上の特許検索サイトや、予めデータを保存しておいたデータベース等の特許文献情報源より、キーワード検索やＩＰＣ検索等を行なって、先ず大量の関連特許文献情報を得、次に、それらの関連特許文献情報を１件ずつコンピュータの画面上に表示させて、画面を見ながら不要と思われるものを省いて絞り込み、最終的には、残ったいくつかの情報を詳細に検証して使えそうな証拠を探し出す。この場合の特許検索作業としては、関連特許文献情報の取得、情報の絞り込み、そして詳細な検証という３つの段階を踏むことになる。
最初の段階である関連特許文献情報の取得については、検索者が内容に目を通すこともなく、いわば機械的に行なえるので、効率化のための高度な研究が種々行なわれているが、その後の情報の絞込みや詳細な検証については検索者が１件ずつ内容を見てチェックしなければならない人的作業であるため、作業の効率化対策は進んでおらず、適当な先行技術も見当たらない。
【０００３】
例えば、特開平９−２２３３８４号公報には特許情報検索に関する記載があるが、これは、大容量のディスク装置を活用することにより、特許検索の機械的に行なう部分を支援するものであり、特開平６−３０１７３２号公報に記載された文書検索処理方法も、ＣＤ−ＲＯＭ等の大容量記憶媒体に保存されている特許文献情報を効率良くブルジングしたりキーワード検索する方法を提供するものであって、人的作業部分についての支援対策に関する技術ではない。
【特許文献１】特開平９−２２３３８４号公報
【特許文献２】特開平６−３０１７３２号公報
【発明の開示】
【発明が解決しようとする課題】
【０００４】
そこで本発明の目的は、任意の特許文献情報源より一定の要件を与えて多数の特許文献情報を選択した後の、情報の絞込みや詳細な検証を効率良く行なえる特許検索支援システムを提供することにある。
【課題を解決するための手段】
【０００５】
本発明の特許検索支援システムは、任意の特許文献情報源より一定の要件を与えて選択された多数の関連特許文献情報中、各々の概要記載部分のみを初期情報としてダウンロードする初期情報取込み手段と、この初期情報取込み手段によりダウンロードした多数の初期情報をコンピュータの画面上に一覧表示すると共に、各初期情報ごとに検索者が選別可能な選別用入力部を表示する初期情報一覧表示手段と、前記選別用入力部に検索者が選別結果を入力する度に、選別された関連特許文献情報中の全ての情報のダウンロードを直ちに開始する詳細情報取込み手段と、この詳細情報取込み手段によりダウンロードした情報を検索者が指定可能な複数の項目に分けて一覧表示する項目表示手段と、この項目表示手段による表示にて検索者が指定した項目の詳細情報をコンピュータの画面上に表示する詳細情報表示手段とを具備したことを特徴とする。
【０００６】
前記関連特許文献情報の概要記載部分は、詳細情報取込み手段による全ての情報のダウンロードが完了したとき色を変化させるようにするとよい。
また、前記選別用入力部に選別結果が入力されなかった概要記載部分は一覧表示の画面から消去され、かつ、残った概要記載部分の選別用入力部がクリヤされて次回の選別に備えるようにするとよい。
【０００７】
前記概要記載部分は、前記特許文献情報中の代表図面、発明の名称及び要約のうちの一部又は全てとするとよい。
また、前記複数の項目には、請求の範囲、詳細な説明及び図面中の各図が含まれるようにするとよい。
【０００８】
また、前記詳細情報表示手段により表示された前記図面中の各図を画面上において適宜拡大又は縮小する手段を設けるとよい。
【０００９】
また、前記詳細情報表示手段により表示された前記図面中の各図に付されている符号を認識する符号認識手段と、この符号認識手段により認識した符号を符号表として表示する符号表作成手段と、この符号表作成手段により作成した符号表中の任意の符号を検索者が指定したとき図面中の該当符号をハイライト表示させるハイライト表示手段とを設けるとよい。
【発明の効果】
【００１０】
初期情報取込み手段によりダウンロードした初期情報を、初期情報一覧表示手段により画面上に一覧表示するので、多数の特許文献情報の中から不要なものを省き必要なものを残す絞り込み作業が極めて迅速かつ容易に行なえる。
このとき、必要なものには選別用入力部にチェックマーク等を付けて選別を行なうと同時に、詳細情報取込み手段により、選別された特許文献情報中の全ての情報のダウンロードを開始するので、ダウンロードの開始時点を早めることができ、詳細情報を見るまでの待ち時間を短縮でき、絞込みの段階から詳細な検証段階へスムーズに移行することができる。
【００１１】
前記詳細情報取込み手段による全ての情報のダウンロードが完了したとき関連特許文献情報の概要記載部分の色を変化させるようにすると、検索者は一目で全ての情報のダウンロードが完了したことを視認できる。
また、前記選別用入力部に選別結果が入力されなかった概要記載部分は一覧表示の画面から消去され、かつ、残った概要記載部分の選別用入力部がクリヤされて次回の選別に備えるようにすると、大量の関連特許文献情報をいったん絞り込んだ後、再度、絞込みを行なうことができる。
【００１２】
前記概要記載部分を、前記特許文献情報中の代表図面、発明の名称及び要約のうちの一部又は全てとすると、特許文献情報の概要を容易に把握することができる。
また、前記複数の項目には、請求の範囲、詳細な説明及び図面中の各図が含まれるようにすると、適宜、最も必要な詳細情報を直ちに見ることができる。
【００１３】
また、前記詳細情報表示手段により表示された前記図面中の各図を画面上において適宜拡大又は縮小する手段を設けると、必要に応じて、図面中の込み入った箇所を拡大することにより、紙資料で見るよりも詳細に検証することができる。
【００１４】
また、前記詳細情報表示手段により表示された前記図面中の各図に付されている符号を符号認識手段で認識し、符号表作成手段により符号表を作成して、符号表で符号を指定すると、その符号がハイライト表示手段により図面中でハイライト表示されるようにすると、図面中に多数の符号が過密に付されていても、符号探しに困難を来たすことはない。
【発明を実施するための最良の形態】
【００１５】
以下、本発明の一実施の形態を、図１ないし図３を参照して説明する。
図１は、例えば特許無効審判の証拠探しを行なう場合等の、特許検索作業の概念図であり、図中１は任意の特許文献情報源である。この特許文献情報源１は、例えば特許電子図書館等の特許検索サイトであってもよいし、予め大量の特許文献情報をデータベース化したものであってもよい。
【００１６】
検索者は、特許文献情報源１より一定の条件を与えて（例えばキーワード検索、ＩＰＣ検索等を行なって）、多数の関連特許文献情報２を取得することができる。これらの関連特許文献情報２の特許文献番号リスト３はコンピュータの画面上に表示されるので、番号リスト３中の番号を一つずつクリックして各関連特許文献情報２の内容を１件ずつ画面上に表示させることは可能であるが、ここでは番号リスト３中の番号をクリックせず、特許検索支援システム４を立ち上げることとする。なお、特許検索支援システム４は前以て立ち上げておいてもよい。
【００１７】
特許検索支援システム４は、初期情報取込み手段５と、初期情報一覧表示手段６と、詳細情報取込み手段７と、項目表示手段８と、詳細情報表示手段９とを具備する。
図２は、特許文献情報源１より関連特許文献情報２を取得した後の、特許検索作業のフローチャートである。
図２の如く、検索者が特許文献情報源１より取得した特許文献番号リスト３を特許検索支援システム４の初期画面上にコピーする。そうすると初期情報取込み手段５が番号リスト３で示される全関連特許文献情報２中の各々の概要記載部分１０のみを、初期情報として前記特許文献情報源１よりダウンロードする。
【００１８】
また、前記初期情報一覧表示手段６は、初期情報取込み手段５によりダウンロードした多数の初期情報をコンピュータの画面上に一覧表示すると共に、各初期情報ごとに検索者が選別可能な選別用入力部１１を表示する。これらの初期情報の実体は関連特許文献情報２中の概要記載部分１０であり、概要記載部分１０は、ここでは各関連特許文献情報２中の代表図面とするが、代表図面の代わりに要約としたり、発明の名称及び要約としたり、代表図面、発明の名称及び要約の全てとすることも可能である。いずれにせよ、概要記載部分１０はデータの容量が小さいので、数が多くてもダウンロードは短時間で行なえる。
【００１９】
このように、概要記載部分１０である代表図面が全て一覧表示されるので、検索者は全ての関連特許文献情報２の全貌を（画面をスクロールしながら）一目で見渡すことができ、特許無効の証拠として使えそうなものであるか否かの選別を効率良く行なうことができる。そこで、使えそうなものについては、選別用入力部１１に選別結果を入力する。この具体的な入力方法としては、例えば選別用入力部１１でクリックして、ここにチェックマークを付ける。
【００２０】
選別用入力部１１にチェックマークが付くと、詳細情報取込み手段７が、該当する関連特許文献情報２中の全ての情報の、前記特許文献情報源１からのダウンロードを直ちに開始する。全ての情報には、具体的には請求の範囲、詳細な説明及び図面中の各図が含まれる。
全ての情報のダウンロードが完了すると、該当する概要記載部分１０は色を変化させ、ダウンロードが完了したことを検索者が一目で視認できるようになる。また、概要記載部分１０を見て情報の絞込みを行ないながら、チェックマークを付けた時点で全ての情報のダウンロードを開始するので、ダウンロードをする情報量が大きく、ダウンロードに長時間を要する場合でも、ダウンロードの開始を早めた分だけ待ち時間が短縮される。
【００２１】
選別用入力部１１にチェックマークが付かなかった概要記載部分１０は一覧表示画面から消去され、かつ、残った概要記載部分１０の選別用入力部１１のチェックマークも消去されて、次の選別に備える。例えば、当初１，０００件あった関連特許文献情報２を５０件まで絞り込み、もう一度選別を行なって特許無効の証拠とする候補を数件まで絞り込むといった方法をとることもできる。
【００２２】
概要記載部分１０の色の変化を見て、全ての情報のダウンロードが完了した関連特許文献情報２については、概要記載部分１０をクリックすると、前記項目表示手段８により、全ての情報である請求の範囲、詳細な説明及び図面中の各図を、検索者が指定可能なように夫々項目を分けてコンピュータの画面上に一覧表示する。特に図面に関しては、「図１」、「図２」等がサムネールとして表示するので、検索者は詳しく見たい図面を適格に指定することができる。
【００２３】
検索者が項目表示手段８による全ての情報の一覧表示を見て、請求の範囲、詳細な説明及び図面中の各図の中から任意の項目を指定すると、詳細情報表示手段９により、指定された項目がコンピュータの画面上に大きく表示されるので、検索者は、各関連特許文献情報２について詳細な検証を行ない、特許無効の証拠とする候補を効率良く探し出すことができる。検索者が「図１」、「図２」等の図面を指定した場合には、指定された図面が大きく表示されるが、拡大・縮小手段１２により、細かい部分をさらに大きく拡大して見ることができ、逆に縮小機能を使って全体像を容易に把握することもできる。また、複数の図面を同時に表示させたり、図面と詳細な説明とを同時に表示させることもできる。さらに、いかなる時点においても、表示内容の印刷をすることができる。
【００２４】
この特許検索支援システム４には、さらに、図１に示す如く、符号認識手段１３、符号表作成手段１４及びハイライト表示手段１５が装備されている。
これらの手段は、いずれも検索者が「図１」、「図２」等の図面を指定した場合に機能を発揮する。符号認識手段１３はＯＣＲ機能を備え、前記詳細表示手段９により表示された図面中の各図に付されている符号を認識する。符号表作成手段１４は、符号認識手段１３で認識した符号を符号表１６としてコンピュータの画面上に表示する。ハイライト表示手段１５は、符号表作成手段１４により作成した符号表１６中の任意の符号を検索者が指定したとき図面中の該当符号をハイライト表示させる。ハイライト表示の具体的方法としては、色で目立たせたり、点滅させたり、大きく表示させるなど、適宜の方法を採用することができる。
【００２５】
図３は、検索者が「図１」、「図２」等の図面と詳細な説明とを指定してこれらを同時に表示させたときの表示例である。この状態で、文章を読みながら文章中に出てくる符号を図面の中から探し難い場合には、符号表１６で探したい符号を指定することにより、図面中の該当符号がハイライト表示されるので、図面中に多数の符号が過密に付されている場合でも、符号探しに苦労することはない。
【００２６】
以上のように、本発明の特許検索支援システムを使用することにより、多数の関連特許文献情報２を効率良く絞り込み、その絞り込まれた情報の中から目的の情報を迅速に探し出すことができる
【図面の簡単な説明】
【００２７】
【図１】特許検索作業の概念図である。
【図２】特許検索作業のフローチャートである。
【図３】画面の表示例である。
【符号の説明】
【００２８】
１    特許文献情報源
２    関連特許文献情報
４    特許検索支援システム
５    初期情報取込み手段
６    初期情報一覧表示手段
７    詳細情報取込み手段
８    項目表示手段
９    詳細情報表示手段
１０  概要記載部分
１１  選別用入力部
１２  拡大・縮小手段
１３  符号認識手段
１４  符号表作成手段
１５  ハイライト表示手段
１６  符号表
【図１】
2008134784.tif 000003
【図２】
2008134784.tif 000004
【図３】
2008134784.tif 000005